(57)【要約】  本発明は、容器を再閉鎖する閉鎖手段を含む、液体内容物用の容器（１）に関する。本容器は、二つの向き合った側壁（２）で形成され且つ取り外し自在の端フラップ（８）を持つ注ぎ口部分（６）を有する。閉鎖手段は、注ぎ口部分（６）に永久的に配置された絞り手段（７）を含む。絞り手段（７）は、接合手段（１１）によって互いに接合された第１及び第２の脚部（９、１０）を含む。閉鎖手段は更に、注ぎ口部分（６）に永久的に連結された連結部分（２０、２１）と、接合手段（１１）と連結部分（２０、２１）との間に配置された継手手段（１９）とを含む。絞り手段（７）を開閉するため、この継手手段により、第１及び第２の脚部（９、１０）が継手手段にて互いに対して回転可能となる。本発明は更に、容器を再閉鎖する閉鎖手段、及び容器を開閉する該閉鎖手段の使用に関する。
2009508770.tif 000002
【特許請求の範囲】
【請求項１】
液体内容物用の容器（１）であって、前記容器を再閉鎖するための閉鎖手段を含み、前記容器は、二つの向き合った側壁（２）で形成され且つ取り外し自在の端フラップ（８）を備えた注ぎ口部分（６）を有する、容器において、
前記閉鎖手段は、前記注ぎ口部分（６）に永久的に配置された絞り手段（７）を含み、該絞り手段（７）は、
接合手段（１１）によって互いに接合された第１及び第２の脚部（９、１０）と、
前記注ぎ口部分（６）に永久的に連結された連結部分（２０、２１）と、
前記接合手段（１１）と前記連結部分（２０、２１）との間に配置された継手手段（１９）であって、前記絞り手段（７）を開閉するために前記第１及び第２の脚部（９、１０）が前記継手手段にて互いに対して回転することを可能にする、継手手段（１９）と、を含み、
前記絞り手段（７）は、開放状態及び閉鎖状態の夫々に移動でき、
前記絞り手段（７）は、その閉鎖状態において前記側壁（２）を圧縮する機能を果たすように構成されている、ことを特徴とする容器。
【請求項２】
請求項１に記載の容器において、
前記脚部（９、１０）の各々は閉鎖部分（２２、２３）を有し、これらの閉鎖部分は、前記絞り手段（７）が閉鎖状態にあるとき、前記側壁（２）の圧縮のために互いに面している、容器。
【請求項３】
請求項１に記載の容器において、
前記連結部分（２０、２１）は、前記第１及び第２の脚部（９、１０）の少なくとも一方に配置されている、容器。
【請求項４】
請求項１に記載の容器において、
前記絞り手段（７）は、該絞り手段（７）を開閉するために前記脚部（９、１０）に力を加えることができるように、更に、グリップ部分（１７）を含む、容器。
【請求項５】
請求項１に記載の容器において、
前記絞り手段（７）は、前記容器の前記注ぎ口部分（６）に、接着剤によって永久的に配置されている、容器。
【請求項６】
請求項１に記載の容器において、
前記絞り手段（７）は、更に、該絞り手段（７）をその閉鎖状態に係止するための第１係止手段（１２）を含む、容器。
【請求項７】
請求項１に記載の容器において、
前記絞り手段（７）は、更に、該絞り手段（７）をその開放状態に係止するための第２係止手段（１４）を含む、容器。
【請求項８】
液体内容物用容器を再閉鎖するための閉鎖手段において、
接合手段（１１）によって互いに接合された第１及び第２の脚部（９、１０）を含む絞り手段（７）と、
前記容器（１）の二つの側壁（２）で形成された注ぎ口部分（６）の取り外し自在の端フラップ（８）と隣接し、前記注ぎ口部分（６）に永久的に連結できる少なくとも一つの連結部分（２０、２１）と、
前記接合手段（１１）と前記連結部分（２０、２１）との間に配置された継手手段（１９）であって、前記絞り手段（７）を開閉するために前記第１及び第２の脚部（９、１０）が前記継手手段にて互いに対して回転することを可能にする、継手手段（１９）と、を含み、
前記絞り手段（７）は、開放状態及び閉鎖状態の夫々に移動でき、
前記絞り手段（７）は、その閉鎖状態において前記側壁（２）を圧縮する機能を果たすように構成されている、ことを特徴とする閉鎖手段。
【請求項９】
液体内容物用の容器を開閉するための請求項８に記載の閉鎖手段の使用において、
前記容器（１）は、二つの向き合った側壁（２）で形成され且つ取り外し自在の端フラップ（８）を備えた注ぎ口部分（６）を有する、使用。
【発明の詳細な説明】
【技術分野】
【０００１】
本発明は、全体として、容器を再閉鎖するための閉鎖手段を含む、液体内容物用の容器、容器を再閉鎖するための閉鎖手段、及び容器の開放及び再閉鎖を行うためのこのような閉鎖手段の使用に関する。
【背景技術】
【０００２】
現在の社会では、内容物を何回かに分けて出すようになった食品容器が益々一般的になってきている。容器の内容物が、開封後に周囲の空気に露呈されることで変質することをできるだけ少なくするため、容器を再閉鎖可能にすることが必要とされている。
【０００３】
液体内容物用の従来技術の再閉鎖可能な容器は、ねじの形態の口部手段及び対応するスクリューキャップを含む。容器を開けるため、スクリューキャップを捩じって口部手段から外し、かくして、使用者が容器の内容物用にアクセスできる。容器を再閉鎖するため、スクリューキャップを螺着により再び装着する。
【０００４】
液体内容物用の別の従来技術の再閉鎖可能な容器は、折り畳むことのできる蓋を持つ構造を含む。この蓋は、容器の開口部を覆う。容器が未開封の場合には、開口部は保護ストリップでカバーされている。最初に容器を開放するとき、蓋を上方に捩じり、保護ストリップを取り外す。その後、容器の内容物にアクセスできる。容器を再閉鎖しようとする場合には、蓋を下方に捩じる。
【０００５】
上述の従来技術の再閉鎖可能な容器の欠点は、これらの製造に比較的費用がかかり、複雑であるということである。
【０００６】
更に、スクリューキャップの形態の従来技術の閉鎖手段は比較的高価であり、そのため、このような閉鎖手段を持つ容器は比較的高価である。
【０００７】
上文中に説明した二つの種類の閉鎖手段の共通の特徴は、容器の壁に穴を形成することである。この穴は、壊れていない状態の容器内に内容物を保護するため、次いで、シールされなければならない。その結果、こうした種類の閉鎖手段を容器に適用するための費用は、適用プロセスが複雑であるため、高い。
【０００８】
従来技術の再閉鎖可能な容器の別の欠点は、比較的嵩張るということである。そのため、充填前に容器を輸送する上での経済性が損なわれる。
【発明の開示】
【発明が解決しようとする課題】
【０００９】
本発明の目的は、上述の欠点のうちの少なくとも一つをなくす、上文中に説明した従来技術の再閉鎖可能な容器に対する代替案を提供することである。
【課題を解決するための手段】
【００１０】
この目的及び以下の説明から明らかな他の目的を達成するため、本発明によれば、請求項１に記載の特徴を持つ容器、請求項８に記載の特徴を持つ閉鎖手段、及び請求項９に記載の使用が提供される。
【００１１】
更に詳細には、本発明の一つの特徴によれば、液体内容物用の容器であって、容器を再閉鎖するための閉鎖手段を含み、容器は、二つの向き合った側壁で形成され且つ取り外し自在の端フラップを備えた注ぎ口部分を有する、容器が提供される。この容器は、閉鎖手段が、注ぎ口部分に永久的に配置された絞り手段即ち絞り手段を含み、この絞り手段が、接合手段によって互いに接合された第１及び第２の脚部と、注ぎ口部分に永久的に連結された連結部分と、接合手段と連結部分との間に配置された継手手段であって、絞り手段を開閉するために第１及び第２の脚部が継手手段にて互いに対して回転することを可能にする、継手手段と、を含み、絞り手段は、開放状態及び閉鎖状態の夫々に移動でき、絞り手段は、その閉鎖状態において側壁を圧縮する機能を果たすように構成されている、ことを特徴とする。
【００１２】
かくして、本発明によれば、簡単に手早く且つ耐久性を備えた態様で再閉鎖できる容器が提供される。更に、容器の外側に配置される閉鎖手段によって、再閉鎖可能な容器の製造が容易になるという利点が得られる。従って、閉鎖手段を適用できるようにする上で容器の壁を壊す必要がない。これにより、容器内部が汚染される危険がなくなる。かくして、容器ブランクの製造で必ずしも閉鎖手段を容器に配置する必要がなく、その代わりに、容器の充填と関連して閉鎖手段を配置してもよい。これにより、容器ブランクを充填場所に経済的に且つ空間的に効率的な方法で輸送できるという利点が得られる。
【００１３】
別の利点は、容器の充填プロセス前、その最中、又はその後に閉鎖手段を容器に配置できるということである。かくして、製造プロセスにおけるオプションを拡げる。
【００１４】
別の利点は、本発明の容器の製造費が比較的安いということである。これは、実際の閉鎖手段の製造費が比較的安いことによる。これは、極めて対費用効果に優れた方法で、例えば射出成形によって製造できるためであり、また、閉鎖手段を容器に比較的容易に適用できるためである。
【００１５】
別の利点は、端フラップにより、確実で安価で簡単ないたずら防止シールが再閉鎖可能な容器に提供されるということである。端フラップの有無により、容器が開封されたか否かが明らかに表示される。
【００１６】
絞り手段は、接合手段によって互いに接合された第１及び第２の脚部を含む。ここで使用する接合手段は、必ずしも、絞り手段の輪郭がはっきりした別体の部品でなくてもよいが、有利には、脚部と一部品で形成されている。
【００１７】
絞り手段は、更に、前記接合手段と前記連結部分との間に配置された継手手段を含む。この継手手段によって、絞り手段を開閉するために第１及び第２の脚部が継手手段にて互いに対して回転することが可能となる。脚部に力を加えることによる回転は、好ましくは様々な程度で行われ、これによって、脚部は、力が解放されたとき、閉鎖位置であるその最初の位置に戻る。
【００１８】
絞り手段を容器の注ぎ口部分に永久的に配置するという表現は、本明細書中において、絞り手段が、通常の使用において、及び通常のその全寿命中に固定的に配置されるということを意味する。
【００１９】
容器を再閉鎖するという表現は、本明細書中において、容器を、端フラップを除去した開封後に繰り返し再閉鎖できるということを意味する。
【００２０】
各脚部は、閉鎖部分を有する。これらの閉鎖部分は、絞り手段が閉鎖状態にあるときに前記側壁を圧縮するため、互いに向き合っている。これによりぴったりと再閉鎖でき、そのため、容器の内容物の品質を、容器の開封後に規定通りに保持できる。
【００２１】
前記連結部分は、第１及び第２の脚部の少なくとも一方に配置されていてもよい。かくして、閉鎖手段は、容器に様々な方法で配置でき、これにより容器の設計を大幅に変化させることができる。
【００２２】
絞り手段は、この絞り手段の開閉を行うために前記脚部に力を加えることができるように、グリップ部分を備えていてもよい。
【００２３】
絞り手段を容器に簡単な方法で永久的に取り付けることができるように、絞り手段を前記注ぎ口部分に接着剤で配置してもよい。接着剤は、例えば、ホットメルト接着剤や粘着テープであってもよい。絞り手段は、理解されるように、例えば溶接等の幾つかの他の方法で永久的に配置されてもよい。
【００２４】
絞り手段は、更に、絞り手段を閉鎖状態に係止するための第１係止手段を備えていてもよい。これにより、閉鎖手段及びかくして容器を簡単に且つ確実に閉鎖できる。これと対応して、絞り手段は、絞り手段を開放状態に係止するための第２係止手段を備えていてもよい。これにより、注ぎ出し中に容器の開口部を一定の断面にでき、かくして不要なこぼれをなくす。第１及び第２の係止手段は、有利には、スナップイン機能を有する。
【００２５】
本発明の第２の特徴によれば、液体内容物用容器を再閉鎖するための閉鎖手段が提供される。この閉鎖手段は、接合手段によって互いに接合された第１及び第２の脚部を含む絞り手段と、注ぎ口部分の取り外し自在の端フラップと隣接した容器の二つの側壁で形成された注ぎ口部分に永久的に連結できる少なくとも一つの連結部分と、接合手段と連結部分との間に配置された継手手段であって、絞り手段を開閉するために第１及び第２の脚部が継手手段にて互いに対して回転することを可能にする、継手手段と、を含み、絞り手段は、開放状態及び閉鎖状態の夫々に移動でき、絞り手段は、その閉鎖状態において側壁を圧縮する機能を果たすように構成されている、ことを特徴とする。
【００２６】
本発明の容器について上文中に説明した、閉鎖手段に関する実施形態は、本発明の閉鎖手段自体にも適用できる。かくして、本発明の容器の閉鎖手段と関連した利点は、本発明の閉鎖手段についても得られる。従って、これらの利点にはこれ以上言及しない。
【００２７】
本発明の第３の特徴によれば、液体内容物用の容器の開放及び再閉鎖を行うための上述の本発明の閉鎖手段の使用が提供される。前記容器は、二つの向き合った側壁で形成された、取り外し自在の端フラップを備えた注ぎ口部分を有する。
【００２８】
次に、添付図面を参照して本発明の非限定的実施形態を例として説明する。例示の実施形態において、機能又は目的が同様の構成要素には同じ参照番号が付してある。
【発明を実施するための最良の形態】
【００２９】
図１は、全体に参照番号１を付した再閉鎖可能な液体内容物用容器を示す。容器１はコラプシブル型容器であり、二つの向き合った側壁２と、折り畳んで二重壁構造にした底壁とを含む。この底壁は、容器１の充填時に拡がってほぼ平らな底壁３を形成する。壁２、３は接合部分４に沿って相互連結されており、互いに区画５を形成する。区画５の容積は、可撓性の壁２、３の相対的な位置で決まる。容器は、端フラップ８を持つ注ぎ口部分６を有する。端フラップ８は、容器１を開放するため、切断や千切り離すといった作業によって取り除かなければならない。絞り手段(squeezing means)７の形態の閉鎖手段を、前記端フラップ８の内側の注ぎ口部分６に永久的に配置する。端フラップ８には、いたずら防止シールとして作用するという利点がある。これは、容器１が開放されたか否かが端フラップ８の有無により明らかに示されるためである。
【００３０】
図２を参照すると、絞り手段７の第１実施形態が閉鎖状態で示してある。
【００３１】
絞り手段７は、二つの脚部９、１０を含むクリップを形成する。これらの脚部は、外上端が接合手段１１によって互いに接合されている。
【００３２】
第１脚部９の外下端には、ラッチ１３の形態の第１係止手段１２が設けられている。ラッチ１３は、第２脚部１０の外下端と係合することによって、絞り手段７を閉鎖状態に係止するように構成されている。
【００３３】
更に、脚部９、１０の外上端には、ラッチ１５の形態の第２係止手段１４が設けられている。これらのラッチ１５は、前記接合手段１１に配置されたラグ１６と協働するようになっている。これらのラッチ１５は、更に詳細には、各脚部９、１０に突出部の形態で配置されたグリップ部分１７の上外端に配置されている。
【００３４】
二つの脚部９、１０は、前記接合手段１１から閉鎖手段の外下端まで延びる隙間１８をその間に形成する。この隙間１８は、以下に説明する四つのゾーンに分けることができる。
【００３５】
上側から説明を始めると、第１ゾーンＺ１は、前記接合手段１１と隣接して配置されている。第１ゾーンＺ１は、絞り手段７を容器１に取り付けるとき、注ぎ口部分６と隣接した容器の接合部分４０の一部を受け入れるようになっている。これを図１及び図４を参照して以下に更に詳細に説明する。
【００３６】
第１ゾーンの下には第２ゾーンＺ２が設けられている。この第２ゾーンＺ２は、絞り手段７の継手手段１９を形成する。更に詳細には、継手手段１９は、脚部９、１０の向き合った表面に設けられた凹所である。継手手段１９の機能を、図３を参照して以下に説明する。前記継手手段１９は、脚部９、１０の外側に配置されていてもよいということは理解されよう。即ち、各脚部の外側に凹所を設ける（図示せず）ことにより、同じ機能の継手手段を形成してもよい。
【００３７】
第２ゾーンＺ２の下には、連結部分２０、２１の形態の第３ゾーンＺ３が形成されている。連結部分２０、２１は、絞り手段７を容器１に永久的に配置するため、注ぎ口部分６の側壁に連結されるようになっている。更に詳細には、絞り手段７は、容器の側壁２の外側に配置される。容器１に良好に永久的に連結するため、連結部分２０、２１は、有利には平らである。連結部分２０、２１の機能を、図４を参照して以下に説明する。
【００３８】
最後に、前記第３ゾーンＺ３の下に、閉鎖部分２２、２３の形態の第４ゾーンＺ４が設けられている。閉鎖部分２２、２３の目的は、絞り手段７が閉鎖状態にある場合に容器１を確実に閉鎖することである。
【００３９】
容器の注ぎ口部分の側壁の内側に付着してしまった内容物を押し戻すため、絞り手段７には、長さ方向膨出部（図示せず）が設けられていてもよい。これらの長さ方向膨出部は、脚部９、１０の連結部分２０、２１及び閉鎖部分２２、２３、又はこれらのいずれかの向き合った表面上に設けることができる。膨出部は、好ましくは、容器の区画５から遠ざかる方向に向いた絞り手段の側部に配置される。これらの膨出部の位置、断面、及び大きさは変化させてもよく、これらの膨出部は、有利には可撓性である。
【００４０】
閉鎖部分２２、２３には、更に、相補的形態の溝及び座繰り（図示せず）が設けられていてもよい。変形例（図示せず）では、第１脚部９の閉鎖部分２２の投影断面は三角形であってもよく、これに対し、第２脚部１０の閉鎖部分２３は平らな表面（図示せず）を備えていてもよい。勿論、閉鎖部分は、この他の幾つかの方法で形成されていてもよい。重要なことは、絞り手段７が閉鎖−係止状態にある場合、容器１の注ぎ口部分６をこのように圧縮することにより、適切な再シールが行われるということである。
【００４１】
下文において、絞り手段７の開放−係止機能を、図３を参照して説明する。
【００４２】
絞り手段７を開放するため、グリップ部分１７に力を加える。この力により、脚部９、１０を強制的に離す。更に詳細には、前記継手手段１９にて回転することによって、脚部９、１０が離される。前記継手手段１９は、かくして、ヒンジ機能を提供する。絞り手段７をこの開放位置に係止するため、第２係止手段１４の少なくとも一つのラッチ１５が接合手段１１の関連したラグ１６と係合する（図３参照）。
【００４３】
次に図４を参照すると、このような絞り手段７を容器１に取り付けたとき、容器の注ぎ口部分６の側壁２は、絞り手段７がこの状態にある場合には離れており、開口部２４を形成する。
【００４４】
容器１の開口部２４を対称にするため、両脚部９、１０の第２係止手段１４により、両方のラッチ１５を、図４に示すように、夫々のラグ１６と係合するのが好ましい。
【００４５】
次に、図１及び図４を参照すると、これらの図には、容器１の注ぎ口部分６に永久的に配置される閉鎖手段を形成する絞り手段７が示してある。絞り手段７は、容器１の上接合部分４０（図１参照）が、絞り手段７の第１ゾーンＺ１に配置されるように構成されている（図４参照）。更に詳細には、この第１ゾーンＺ１の二つの脚部９、１０間に形成される隙間に上接合部分４０の一部を受け入れる。第１ゾーンＺ１の隙間は、好ましくは、容器への絞り手段７の取り付けと関連して、絞り手段７を容器１の上接合部分４０に容易に「滑り込ませる」ことができるような所定の幅を有する。
【００４６】
絞り手段７は、前記第３ゾーンＺ３の連結部分２０、２１を介して容器１の側壁２に永久的に連結される。更に詳細には、連結部分２０、２１は、注ぎ口部分６の側壁２の外側に永久的に連結される。
【００４７】
第３ゾーンＺ３、即ち二つの連結部分２０、２１は、有利には、図４に最もよく示すように、第３ゾーンＺ３及び第４ゾーンＺ４を含む脚部９、１０の長さの半分に沿って延びている。かくして、絞り手段７は、好ましくは、第４ゾーンＺ４、即ち閉鎖部分に沿っては、容器の注ぎ口部分に連結されていない。これにより、その操作が困難になるほどに絞り手段７を小さくしなくても、容器の開口部２４を制限することができる。
【００４８】
特に図４を参照すると、絞り手段７は、第１係止手段１２が注ぎ口部分６の下部分に配置されるように、及び接合手段１１が容器の上部分に向かって回転させられるように構成されていなければならない。絞り手段７を開放するとき、脚部９、１０を移動して離すと、結果的に形成された開口部２４がかくして拡げられ、その下部分が最も大きくなる。
【００４９】
容器１を開放するため、先ず最初に、端フラップ８を注ぎ口部分６から千切り離すか或いは切除する。その後、グリップ部分１７に力を加えることにより絞り手段７を開放し、これによって注ぎ口部分６の両側壁２を移動して離す。これは、連結部分２０、２１が注ぎ口部分６の両側壁２に永久的に連結されているためである。容器を開放状態に維持するため、第２係止手段１４のラッチ１５を、接合手段１１に配置された関連したラグ１６と係合させることによって、絞り手段７をこの開放状態に係止する。次いで容器を開放し、内容物を容器から容易に注ぎ出すことができる。
【００５０】
容器を再閉鎖するとき、グリップ部分１７の上部分に外方に回転する力を加えることによって、第２係止手段１４のラッチ１５を、ラグ１６から外す。絞り手段７の材料は、好ましくは、脚部９、１０を最初の位置に、即ち互いに合わせた位置に戻そうとする固有の安定性を有する。その結果、容器の開口部は、互いに閉鎖することにより、容器の注ぎ口部分６を二つの側壁２を間で圧縮する閉鎖部分によって閉鎖される。ぴったりと閉鎖するため、脚部９、１０の第４ゾーンＺ４に力を加えることにより、第１係止手段１２のラッチ１３を第２脚部１０の下端と係合する。これで、絞り手段７は、その閉鎖位置即ち係止位置になり、容器１を再閉鎖する。
【００５１】
次に、閉鎖手段の第２実施形態を示す図５及び図６を参照する。絞り手段７である閉鎖手段の閉鎖状態及び開放状態の夫々を別々に示す。
【００５２】
絞り手段７は、外上端が接合手段１１によって互いに接合された二つの脚部９、１０を含む。第１脚部９の外下端には、ラッチ１３の形態の第１係止手段１２が設けられている。ラッチ１３は、絞り手段７を閉鎖状態に係止するため、第２脚部１０の外下端と係合するようになっている。
【００５３】
第２脚部１０は、更に、接合手段１１に配置されたラグ１６と協働するようになったラッチ１５の形態の第２係止手段１４をその外上端に備えている。前記外上端は、更に、レバーの形態のグリップ手段２５を形成する。これを以下に更に詳細に説明する。
【００５４】
二つの脚部９、１０は、これらの脚部間に隙間１８を形成する。この隙間は、前記接合手段１１から、閉鎖手段の外下端まで延びる。隙間１８は四つのゾーンに分けることができ、これらのゾーンを図５を参照して以下に説明する。
【００５５】
上側から説明を始めると、第１ゾーンＺ１は、前記接合手段１１と隣接して配置されている。第１ゾーンＺ１は、絞り手段７を容器１に取り付けるとき、注ぎ口部分６と隣接した容器の接合部分４０の一部を受け入れるようになっている。
【００５６】
第１ゾーンの下には第２ゾーンＺ２が設けられている。この第２ゾーンＺ２は、絞り手段７の継手手段１９を形成する。更に詳細には、継手手段１９は、第２脚部１０の外側に設けられた凹所である。
【００５７】
第２ゾーンＺ２の下には、連結部分２０、２１の形態の第３ゾーンＺ３が形成されている。連結部分２０、２１は、絞り手段７を容器１に永久的に配置するため、注ぎ口部分６の側壁に連結されるようになっている。更に詳細には、絞り手段７は、容器の側壁２の外側に配置される。容器１に良好に永久的に連結するため、連結部分２０、２１は、有利には、図示のように平らである。
【００５８】
第１ゾーンＺ１及び第３ゾーンＺ３は、互いに対して、絞り手段７が図６に示す閉鎖位置にあるときに互いに角度αを形成するように配置されている。絞り手段７を開放し、第２脚部１０を後端部分に係止するとき（図５参照）、二つの脚部９、１０の連結部分２０、２１は、第１ゾーンＺ１に対して同じ角度αを形成する。このことは、絞り手段７がその開放状態で配置されているとき、第１ゾーンＺ１が、容器１の接合部分４０が形成する平面と一致するということを意味する。かくして絞り手段７は、その開放状態で、前記接合部分４０を中心として対称な注ぎ口部分６を拡げようとし、かくして漏れの危険を小さくする。
【００５９】
最後に、前記第３ゾーンＺ３の下には、閉鎖部分２２、２３の形態の第４ゾーンＺ４が設けられている。閉鎖部分２２、２３の目的は、絞り手段７の閉鎖状態で容器１を閉鎖することである。
【００６０】
閉鎖手段２２、２３には、相補的形態の溝及び座繰り（図示せず）が形成されていてもよい。
【００６１】
下文において、絞り手段７の開放−係止機能を、図５を参照して説明する。第２脚部１０の外上端は、レバーの形態のグリップ手段２５を形成する。グリップ手段２５の外側には、ローレット目を備えたグリップ部分１７が設けられている。対応するグリップ部分１７が第１脚部９の反対側の部分に配置されている。
【００６２】
グリップ部分１７に力を加え、絞り手段７を開放する。この力により、脚部９、１０を強制的に離す。更に詳細には、脚部９、１０は、前記継手手段１９にて第２脚部１０が回転させられることによって離される。かくして、継手手段１９はヒンジ機能を提供する。絞り手段７をこの開放位置に係止するため、ラッチ１５を接合手段１１のラグ１６と係合する。
【００６３】
容器を再閉鎖するため、グリップ手段２５の上部分に外方への曲げ力を加え、これによってラッチ１５をラグ１６から外す。第１及び第３のゾーンＺ１、Ｚ３間の角度αにより、脚部９、１０は最初の位置に、即ち互いに合わさった位置に戻ろうとする。そのため、容器の開口部は、互いに閉鎖する閉鎖部分によって閉鎖され、これらの閉鎖部分間で、容器の注ぎ口部分６の二つの側壁２を圧縮する。ぴったりと閉鎖するため、脚部９、１０の第４ゾーンＺ４に力を加え、これによって第１係止手段１２のラッチ１３を第２脚部１０の下端と係合する。絞り手段７は、これで、閉鎖−係止位置にあり、容器１が再閉鎖される。
【００６４】
次に、図７を参照すると、この図には、上述の第２実施形態による複数の絞り手段７を含む、射出成形で形成したキャリヤ５０が示してある。キャリヤ５０は、一部品で射出成形されたものであり、図示の実施形態では、九個の絞り手段７を含む。絞り手段７は、キャリヤ５０の長さ方向に延びる長さ方向外接合部分５１を介して相互連結されている。接合部分５１の端部には、凹所５２及び突出部５３が夫々設けられており、これにより、複数のキャリヤを図示のように相互連結して連続ウェブ５４を形成できる。例えば、このようなウェブをボビン（図示せず）に巻き付け、パッキング機械に供給してもよい。このようなウェブ５４の供給を容易にするため、接合部分５１にパーフォレーション５５を形成してもよい。これにより、ウェブを歯車（図示せず）によって供給できる。
【００６５】
以上、絞り手段７の二つの実施形態を説明した。連結部分２０、２１は、実施形態に関わらず、有利には、粘着テープやホットメルト接着剤等の接着剤（図示せず）によって、注ぎ口部分６の側壁２に取り付けることができる。更に、連結部分２０、２１を前記側壁に溶接で取り付けてもよい。粘着テープを使用する場合には、容器ブランクの製造と関連して、保護テープを備えた粘着テープストリップを容器ブランクに配置するのが有利である。有利には、充填及びシールと関連した後の工程で行われる絞り手段７の取り付けと関連して保護ストリップを取り外し、永久的に連結する。このような粘着テープストリップにより、容器ブランクの連続ウェブをロールに巻き付けることができる。これらの容器ブランクは、充填及び閉鎖手段７の適用をいつでも行うことができる。
【００６６】
絞り手段７を注ぎ口部分６の外側に配置することによって、絞り手段７を取り付けるときに容器１の壁を破る必要がなく、そのため、容器の内部を汚染する危険がないという利点が得られる。
【００６７】
絞り手段７は、有利には、例えばプラスチック材料の射出成形によって一部品で形成される。プラスチック材料には、鉱質材料が追加されていてもよい。更に、絞り手段７は、有利には、上文中に説明した絞り手段７の可撓性を許容する可撓性及び撓み剛性を持つ一つの同じ材料で形成される。
【００６８】
絞り手段を容器と明確に区別するため、選択したプラスチック材料に着色してもよく、又は別の態様では、絞り手段７に着色してもよい。
【００６９】
本発明は、例示の実施形態に限定されるべきではなく、添付の特許請求の範囲のみによって定義されるべきである。
【図面の簡単な説明】
【００７０】
【図１】図１は、本発明による再閉鎖可能な容器の側面図である。
【図２】図２は、閉鎖状態の本発明の一実施形態の閉鎖手段を容器なしで示す図である。
【図３】図３は、開放状態の図２による閉鎖手段の図である。
【図４】図４は、開放状態の容器に配置した本発明の閉鎖手段の図であり、容器を真正面から見たものである。
【図５】図５は、開放状態の容器に配置した、開放状態の第２実施形態の閉鎖手段の図であり、容器を真正面から見たものである。
【図６】図６は、閉鎖状態の図５による閉鎖手段を容器なしで示す図である。
【図７】図７は、前記第２実施形態による複数の閉鎖手段を含む、射出成形によって形成したキャリヤの図である。
【図１】
2009508770.tif 000003
【図２】
2009508770.tif 000004
【図３】
2009508770.tif 000005
【図４】
2009508770.tif 000006
【図５】
2009508770.tif 000007
【図６】
2009508770.tif 000008
【図７】
2009508770.tif 000009
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
液体内容物用の容器（１）であって、前記容器を再閉鎖するための閉鎖手段を含み、前記容器は、二つの向き合った側壁（２）で形成され且つ取り外し自在の端フラップ（８）を備えた注ぎ口部分（６）を有する、容器において、
前記閉鎖手段は、前記注ぎ口部分（６）に永久的に配置された絞り手段（７）を含み、該絞り手段（７）は、
接合手段（１１）によって互いに接合された第１及び第２の脚部（９、１０）と、
前記注ぎ口部分（６）に永久的に連結された連結部分（２０、２１）と、
前記接合手段（１１）と前記連結部分（２０、２１）との間に配置された継手手段（１９）であって、前記絞り手段（７）を開閉するために前記第１及び第２の脚部（９、１０）が前記継手手段にて互いに対して回転することを可能にする、継手手段（１９）と、を含み、
前記絞り手段（７）は、開放状態及び閉鎖状態の夫々に移動でき、
前記絞り手段（７）は、その閉鎖状態において前記側壁（２）を圧縮する機能を果たすように構成されている、ことを特徴とする容器。
【請求項２】
請求項１に記載の容器において、
前記脚部（９、１０）の各々は閉鎖部分（２２、２３）を有し、これらの閉鎖部分は、前記絞り手段（７）が閉鎖状態にあるとき、前記側壁（２）の圧縮のために互いに面している、容器。
【請求項３】
請求項１に記載の容器において、
前記連結部分（２０、２１）は、前記第１及び第２の脚部（９、１０）の少なくとも一方に配置されている、容器。
【請求項４】
請求項１に記載の容器において、
前記絞り手段（７）は、該絞り手段（７）を開閉するために前記脚部（９、１０）に力を加えることができるように、更に、グリップ部分（１７）を含む、容器。
【請求項５】
請求項１に記載の容器において、
前記絞り手段（７）は、前記容器の前記注ぎ口部分（６）に、接着剤によって永久的に配置されている、容器。
【請求項６】
請求項１に記載の容器において、
前記絞り手段（７）は、更に、該絞り手段（７）をその閉鎖状態に係止するための第１係止手段（１２）を含む、容器。
【請求項７】
請求項１に記載の容器において、
前記絞り手段（７）は、更に、該絞り手段（７）をその開放状態に係止するための第２係止手段（１４）を含む、容器。
【請求項８】
請求項１に記載の容器において、
前記連結部分（２０、２１）は、前記脚部（９、１０）の長さの半分に沿って延びており、これにより、前記連結部分は、接着剤によって前記注ぎ口部分（６）に永久的に配置されている、容器。
【請求項９】
液体内容物用容器を再閉鎖するための閉鎖手段において、
接合手段（１１）によって互いに接合された第１及び第２の脚部（９、１０）を含む絞り手段（７）と、
前記容器（１）の二つの側壁（２）で形成された注ぎ口部分（６）の取り外し自在の端フラップ（８）と隣接し、前記注ぎ口部分（６）に永久的に連結できる少なくとも一つの連結部分（２０、２１）と、
前記接合手段（１１）と前記連結部分（２０、２１）との間に配置された継手手段（１９）であって、前記絞り手段（７）を開閉するために前記第１及び第２の脚部（９、１０）が前記継手手段にて互いに対して回転することを可能にする、継手手段（１９）と、を含み、
前記絞り手段（７）は、開放状態及び閉鎖状態の夫々に移動でき、
前記絞り手段（７）は、その閉鎖状態において前記側壁（２）を圧縮する機能を果たすように構成されている、ことを特徴とする閉鎖手段。
【請求項１０】
液体内容物用の容器を開閉するための請求項９に記載の閉鎖手段の使用において、
前記容器（１）は、二つの向き合った側壁（２）で形成され且つ取り外し自在の端フラップ（８）を備えた注ぎ口部分（６）を有する、使用。
【国際調査報告】
2009508770.tif 000010
2009508770.tif 000011
2009508770.tif 000012